(57)【要約】      （修正有）【課題】本体に二つの軸をもって組み合わされた可動体を規則的に動作させる。【解決手段】アーム３にはスライダ８が備えられスライダ８には本体側ガイド部１ｇに案内される第一被ガイド部８ａと可動体側ガイド部２ｉに案内される第二被ガイド部８ｂとが備えられている。本体側ガイド部１ｇは第二軸５を中心とした第一被ガイド部８ａの移動を規制する規制部１ｈとこの移動を許容する非規制部１ｉとを備える。可動体側ガイド部２ｉにより可動体２の回動に連動して、第一位置と所定回動位置との間に可動体２があるときは第一被ガイド部８ａを本体側ガイド部１ｇの規制部１ｈに位置させ、所定回動位置を可動体２が超えたときは第一被ガイド部８ａを本体側ガイド部１ｇの非規制部１ｉに位置させるように、スライダ８の移動がなされる。【選択図】図３
2010281068.tif 000002
【特許請求の範囲】
【請求項１】
本体に、アームを介して、第一位置と第二位置とに亘る回動可能に組み合わされた可動体の動作機構であって、
可動体とアームとは第一軸をもって回動可能に組み合わされていると共に、
アームと本体とは第二軸をもって回動可能に組み合わされており、
本体にはアームに対する係止手段が備えられており、
この係止手段により、第一位置と所定回動位置との間に可動体があるときは第二軸を中心としたアームの回動を規制し、所定回動位置を可動体が超えたときアームの回動を許容するようになっていることを特徴とする可動体の動作機構。
【請求項２】
本体に、アームを介して、第一位置と第二位置とに亘る回動可能に組み合わされた可動体の動作機構であって、
可動体とアームとは第一軸をもって回動可能に組み合わされていると共に、
アームと本体とは第二軸をもって回動可能に組み合わされており、
アームにはスライダが備えられていると共に、このスライダには本体側ガイド部に案内される第一被ガイド部と、可動体側ガイド部に案内される第二被ガイド部とが備えられており、
本体側ガイド部は第二軸を中心とした第一被ガイド部の移動を規制する規制部と、この移動を許容する非規制部とを備えており、
可動体側ガイド部により可動体の回動に連動して、第一位置と所定回動位置との間に可動体があるときは第一被ガイド部を本体側ガイド部の規制部に位置させ、所定回動位置を可動体が超えたときは第一被ガイド部を本体側ガイド部の非規制部に位置させるように、スライダの移動がなされることを特徴とする可動体の動作機構。
【請求項３】
可動体側ガイド部により、第一位置にある可動体が所定回動位置に近づくに連れて第一軸から離れる向きにスライダが移動されるようになっていることを特徴とする請求項２に記載の可動体の動作機構。
【請求項４】
本体側ガイド部の規制部は、第二軸を中心とした放射方向に第一被ガイド部を案内し、非規制部は第二軸を中心とした仮想の円の円弧に沿って第一被ガイド部を案内するようになっていることを特徴とする請求項２又は請求項３に記載の可動体の動作機構。
【請求項５】
スライダは第一軸と第二軸との間を移動可能にアームに組み合わされていると共に、可動体が第一位置にあるときスライダは第一軸に最も近接されるようになっており、しかも、第二軸側に移動されたスライダに第一軸側に向けた付勢力を作用させる付勢手段を備えていることを特徴とする請求項２〜請求項４のいずれか１項に記載の可動体の動作機構。
【発明の詳細な説明】
【技術分野】
【０００１】
この発明は、本体に対し二つの軸をもって回動可能に組み合わされた可動体を規則的に動作させる動作機構の改良に関する。
【背景技術】
【０００２】
蓋状の移動体を、箱状の固定体の開口を塞いだ水平位置とこれを開放させた垂直位置との間に亘って規則的に回動させるようにした機構として、特許文献１に示されるものがある。
【０００３】
かかる機構にあっては、固定体の側部に形成させたカム溝に案内される前後二本の軸を移動体側に備えさせている。そして、かかるカム溝によって、前記水平状態から、最初は前側の軸を中心に移動体は起立回動され、次いで、このカム溝に沿って移動体が全体として起立回動されるようになっている。
【先行技術文献】
【特許文献】
【０００４】
【特許文献１】特開２００１−３１１３５４号公報
【発明の概要】
【発明が解決しようとする課題】
【０００５】
この発明が解決しようとする主たる問題点は、本体に対し二つの軸をもって回動可能に組み合わされた可動体を規則的に動作させる動作機構において、かかる動作が一層確実になされるようにする点にある。
【課題を解決するための手段】
【０００６】
前記課題を達成するために、この発明にあっては、第一の観点から、可動体の動作機構を、
本体に、アームを介して、第一位置と第二位置とに亘る回動可能に組み合わされた可動体の動作機構であって、
可動体とアームとは第一軸をもって回動可能に組み合わされていると共に、
アームと本体とは第二軸をもって回動可能に組み合わされており、
本体にはアームに対する係止手段が備えられており、
この係止手段により、第一位置と所定回動位置との間に可動体があるときは第二軸を中心としたアームの回動を規制し、所定回動位置を可動体が超えたときアームの回動を許容するようになっているものとした。
【０００７】
この第一の観点にかかる動作機構によれば、第一位置からの所定回動位置までは、第一軸を中心としてのみ可動体が往動回動され、かつ、所定回動位置を超えた後は可動体とアームとが全体として第二軸を中心に可動体を第二位置に位置させるまで往動回動されるように、可動体の動作を確実に制御させることができる。
【０００８】
また、前記課題を達成するために、この発明にあっては、第二の観点から、可動体の動作機構を、
本体に、アームを介して、第一位置と第二位置とに亘る回動可能に組み合わされた可動体の動作機構であって、
可動体とアームとは第一軸をもって回動可能に組み合わされていると共に、
アームと本体とは第二軸をもって回動可能に組み合わされており、
アームにはスライダが備えられていると共に、このスライダには本体側ガイド部に案内される第一被ガイド部と、可動体側ガイド部に案内される第二被ガイド部とが備えられており、
本体側ガイド部は第二軸を中心とした第一被ガイド部の移動を規制する規制部と、この移動を許容する非規制部とを備えており、
可動体側ガイド部により可動体の回動に連動して、第一位置と所定回動位置との間に可動体があるときは第一被ガイド部を本体側ガイド部の規制部に位置させ、所定回動位置を可動体が超えたときは第一被ガイド部を本体側ガイド部の非規制部に位置させるように、スライダの移動がなされるものとした。
【０００９】
この第二の観点にかかる動作機構によれば、第一位置からの所定回動位置までは、第一軸を中心としてのみ可動体が往動回動され、かつ、所定回動位置を超えた後は可動体とアームとが全体として第二軸を中心に可動体を第二位置に位置させるまで往動回動されるように、可動体の動作を確実に制御させることができる。
【発明の効果】
【００１０】
この発明によれば、本体に対し二つの軸をもって回動可能に組み合わされた可動体を規則的に動作させる動作機構において、かかる動作が一層確実になされるようにすることができる。
【図面の簡単な説明】
【００１１】
【図１】図１は可動体が第一位置にあるときの動作機構の適用例の左側面構成図である。
【図２】図２は可動体が第一位置にあるときの動作機構の適用例の右側面構成図である。
【図３】図３は可動体が所定回動位置を超えた直後位置にあるときの動作機構の適用例の左側面構成図である。
【図４】図４は可動体が第二位置にあるときの動作機構の適用例の左側面構成図である。
【図５】図５は図１におけるＡ−Ａ線位置での破断端面構成図である。
【図６】図６は動作機構の適用例の分解斜視構成図である。
【図７】図７は図６と反対の側から見た動作機構の適用例の分解斜視構成図である。
【図８】図８は図１〜図７に示される例の構成の一部を変更させてなる動作機構の適用例の分解斜視構成図である。
【図９】図９は図８の動作機構の適用例において可動体が第一位置にあるときのその左側面構成図である。
【発明を実施するための形態】
【００１２】
以下、図１〜図９に基づいて、この発明の典型的な実施の形態について、説明する。この実施の形態にかかる動作機構は、本体１に対し二つの軸４、５をもって回動可能に組み合わされた可動体２を規則的に動作させるものである。かかる動作機構は、各種の機器や什器などの可動部の動作機構として利用することができる。
【００１３】
かかる可動体２は、アーム３を介して本体１に組み合わされている。そして、第一位置から所定回動位置を経て第二位置まで往動回動し、また、第二位置から所定回動位置を経て第一位置まで復動回動するようになっている。
【００１４】
かかる可動体２とアーム３とは第一軸４をもって回動可能に組み合わされている。一方、かかるアーム３と本体１とは第二軸５をもって回動可能に組み合わされている。そして、前記第一位置と所定回動位置との間に可動体２があるときは第二軸５を中心としたアーム３の回動が規制され、この所定回動位置を可動体２が超えたときかかるアーム３の回動を許容するようになっている。
【００１５】
図示の例では、可動体２は上面を開口１ａさせた箱状を呈した本体１のこの開口１ａを第一位置で閉塞するリッド２ａとして構成されている。そして、かかる可動体２としてのリッド２ａはこの第一位置（閉じ位置）からリッド２ａの前端２ｂを上方に移動させ、かつ、リッド２ａの後端２ｃを下方に移動させるように第二位置まで往動回動されて、この第二位置において本体１の開口１ａを完全に開放するようになっている。図示の例では、第一位置からリッド２ａが約４５度回動するまではリッド２ａは前記第一軸４を中心に回動されアーム３の回動は生じないようになっている。図示の例では、このリッド２ａが第一位置から約４５度回動した位置が前記所定回動位置となっている。そしてリッド２ａがこの所定回動位置に至ると第一軸４を中心としたリッド２ａの回動は停止され、第二軸５を中心としてアーム３が約４５度回動され、この回動によりリッド２ａは第二位置まで往動回動されるようになっている。（図４）したがってまた、第二位置にあるリッド２ａは所定回動位置までは第二軸５を中心として復動回動され、所定回動位置からは第二軸５を中心としたアーム３の回動は停止されるので第一軸４を中心として第一位置まで復動回動されるようになっている。
【００１６】
図示の例では、リッド２ａは、第一付勢体６により第一軸４を中心とした往動回動方向に常時付勢されている。また、アーム３は、第二付勢体７により第二軸５を中心とした往動回動方向に常時付勢されている。一方、リッド２ａは本体１の開口１ａを覆う大きさの蓋板体２ｄを、左右一対の側板体２ｅ、２ｅの上端間に亘るように、この一対の側板体２ｅ、２ｅと組み合わせてなる。かかる一対の側板体２ｅ、２ｅのそれぞれが本体１の側面１ｂに内面を向き合わせるようにしてリッド２ａと本体１とは組み合わされている。かかるリッド２ａの左側の側板体２ｅには後方に突き出すストライカ部２ｆが形成されていると共に、本体１の左側面１ｂには前記第一位置においてこのストライカ部２ｆを捕捉するラッチ装置１ｃが備えられている。このラッチ装置１ｃは、ストライカ部２ｆの捕捉状態からストライカ部２ｆがさらに押し込まれるとこの捕捉を解き、この捕捉解除状態からラッチ装置１ｃ内にストライカ部２ｆが再度入り込むと再びこのストライカ部２ｆを捕捉するように構成されている。第一位置にあるリッド２ａの蓋板体２ｄと本体１の開口１ａとの間には上下にやや間隔が形成されており、（図１）第一位置にあるリッド２ａの前端２ｂ、つまり、蓋板体２ｄの前端は下方にやや押し込み操作できるようになっている。第一位置にあるリッド２ａをこのように押し込み操作するとストライカ部２ｆは後方にやや移動されラッチ装置１ｃ内に押し込まれる。これにより前記捕捉が解かれてリッド２ａは先ず第一付勢体６により所定往動位置まで強制的に回動され、続いて第二付勢体７により第二位置まで強制的に回動される。図示の例では、第二位置にあるリッド２ａは第二付勢体７の付勢に抗しながら手動で所定回動位置まで復動され、所定回動位置からは第一付勢体６の付勢に抗しながら手動で第一位置まで復動されるようになっている。リッド２ａが第一位置まで復動されるとラッチ装置１ｃ内にストライカ部２ｆが再び入り込みストライカ部２ｆは捕捉されリッド２ａは再び第一位置に位置づけられるようになっている。
【００１７】
可動体２としてのリッド２ａをこのように規則的に動作させる動作機構は、図示の例では、本体１の左側と右側とにそれぞれ一組づつ備えられている。左側の動作機構の第一軸４と右側の動作機構の第一軸４はそれぞれ左右方向に沿った仮想の同一の直線を軸中心線とし、また、左側の動作機構の第二軸５と右側の動作機構の第二軸５もそれぞれ左右方向に沿った仮想の同一の直線を軸中心線としている。本体１の右側には前記ラッチ装置１ｃはなく、したがってリッド２ａの右側の側板体２ｅにはストライカ部２ｆは備えられていない。一方、図示の例では、本体１の右側の側面１ｂにはロータリーダンパー１ｄが備えられていると共に、この本体１の右側にある前記アーム３にはこのロータリーダンパー１ｄの図示しないローターの外端に備えられたピニオン１ｅに噛み合う弧状ラック部２ｇが形成されている。かかるロータリーダンパー１ｄは本体１の側面１ｂに固定されるステーター１ｆに回動可能に組み合わされたローターの回転に制動力を付与するように構成されており、これによりリッド２ａの前記強制的な往動回動がゆっくりとなされるようにしている。かかるローターの回転中心軸線は前記第一軸４及び第二軸５の軸中心線と平行をなしている。かかるローターに対する制動力の付与は、典型的にはステーター１ｆ内にシリコンオイルなどの粘性流体を封入させておきローターの回転時にこのローターの内端側にこの粘性流体の抵抗を作用させることで確保できる。かかる左右の動作機構は、かかるストライカ部２ｆ、ラッチ装置１ｃ、ロータリーダンパー１ｄ、弧状ラック部２ｇを除けば実質的に同一である。
【００１８】
前記アーム３と本体１とは、このアーム３の一端部において、前記第二軸５をもって回動可能に組み合わされている。図示の例では、この第二軸５は、本体１の側面１ｂからこの側面１ｂに直交する向きに突き出す軸状体５ａに鍔付きスリーブ５ｂを組み合わせてなる。アーム３の一端部にはこの鍔付きスリーブ５ｂの鍔を入り込ませない大きさの軸穴３ｂが形成されており、図示の例では、この軸穴３ｂを通じて鍔付きスリーブ５ｂを軸状体５ａに組み付けることで、アーム３と本体１とが、このアーム３の一端部において、前記第二軸５をもって回動可能に組み合わされている。
【００１９】
また、前記アーム３とリッド２ａとは、このアーム３の他端部において、前記第一軸４をもって回動可能に組み合わされている。図示の例では、この第一軸４は、リッド２ａの蓋板体２ｄの前後方向に亘る側縁部の前後方向略中程の位置から側方に突き出す軸状体４ａに鍔付きスリーブ４ｂを組み合わせてなる。前記アーム３の他端部にはこの鍔付きスリーブ４ｂの鍔を入り込ませない大きさの軸穴３ａが形成されており、図示の例では、この軸穴３ａを通じて鍔付きスリーブ４ｂを軸状体４ａに組み付けることで、アーム３と本体１とが、このアーム３の他端部において、前記第一軸４をもって回動可能に組み合わされている。図示の例ではまた、リッド２ａの蓋板体２ｄの後端２ｃ側には側面視の状態で略台形状をなすブラケット部２ｈが、この台形の長辺部を蓋板体２ｄの前後方向に亘る側縁部に連接させることで、この蓋板体２ｄに備えられている。そして、図示の例では、前記第一位置にあるリッド２ａは、このブラケット部２ｈの前縁部にアーム３の後縁部を平行とする位置まで、前記第一軸４を中心とした往動回動をするようになっている。（図３）
【００２０】
これにより、この実施の形態にあっては、第一位置から所定回動位置まで往動回動したリッド２ａを、アーム３とこのリッド２ａとのなす角度を保った状態で、第二軸５を中心に全体に第二位置まで下方に回動させることができることから、一つの軸を中心にリッド２ａを回動させてときに比べ、第二位置におけるリッド２ａの前端２ｂのレベルを下方に位置させることができ、また、本体１の後方における第二位置にあるリッド２ａを納めるスペースをできるだけ小さくさせることができる。（図４）
【００２１】
また、かかるアーム３にはスライダ８が備えられている。一方、本体１にはこのスライダ８に対する本体側ガイド部１ｇが備えられている。そして、この実施の形態にあっては、かかるスライダ８によって、前記第一位置と所定回動位置との間に可動体２があるときは第二軸５を中心としたアーム３の回動を規制し、所定回動位置を可動体２が超えたときアーム３の回動を許容するようになっている。
【００２２】
具体的には、この実施の形態にあっては、かかるスライダ８には本体側ガイド部１ｇに案内される第一被ガイド部８ａと、可動体側ガイド部２ｉに案内される第二被ガイド部８ｂとが備えられている。一方、本体側ガイド部１ｇは、第二軸５を中心とした第一被ガイド部８ａの移動を規制する規制部１ｈと、この移動を許容する非規制部１ｉとを備えている。そして、可動体側ガイド部２ｉにより可動体２の回動に連動して、第一位置と所定回動位置との間に可動体２があるときは第一被ガイド部８ａを本体側ガイド部１ｇの規制部１ｈに位置させ、所定回動位置を可動体２が超えたときは第一被ガイド部８ａを本体側ガイド部１ｇの非規制部１ｉに位置させるように、スライダ８の移動がなされるようになっている。
【００２３】
これにより、この実施の形態にあっては、第一位置からの所定回動位置までは、第一軸４を中心としてのみ可動体２が往動回動され、かつ、所定回動位置を超えた後は可動体２とアーム３とが全体として第二軸５を中心に可動体２を第二位置に位置させるまで往動回動されるように、可動体２の動作をスライダ８によって確実に制御させることができる。
【００２４】
図示の例では、スライダ８は、アーム３における前記第一軸４と第二軸５との間に位置される箇所において、このアーム３の長さ方向に沿ったスライド移動可能に、このアーム３に組み合わされている。アーム３は本体１の側面１ｂに向き合う側と反対の外面の両側縁にその長さ方向に沿った一対のガイド壁３ｃ、３ｃを有しており、スライダ８はこの一対のガイド壁３ｃ、３ｃ間において前記スライド移動可能に支持されている。スライダ８は方形の盤状をなす。このガイド壁３ｃには、かかるスライダ８の一対の辺部をアーム３の外面との間に挟み込むように保持するにリブ３ｄが形成されている。また、かかる一対のガイド壁３ｃ、３ｃ間には、アーム３の長さ方向に沿って続くスロット３ｅが形成されている。スライダ８の一面側にはこのスロット３ｅを通じて本体１の側面１ｂ側に突き出す突部が形成されており、この突部が前記第一被ガイド部８ａとして機能するようになっている。また、かかるスライダ８他面側には前記第二被ガイド部８ｂとして機能する突部が形成されている。
【００２５】
可動体側ガイド部２ｉは、第一位置にある可動体２が所定回動位置に近づくに連れて第一軸４から離れる向きにスライダ８を移動させるように、第二被ガイド部８ｂを案内する構成となっている。図示の例では、かかる可動体側ガイド部２ｉは、リッド２ａの左右側板体２ｅにおける本体１の側面１ｂに向けられた内面にそれぞれ形成されている。かかる可動体側ガイド部２ｉは第二被ガイド部８ｂを隙間少なく納める溝幅を持ったリッド２ａの側板体２ｅの前後方向に長い溝状をなす。可動体２が第一位置にあるときはこの可動体側ガイド部２ｉの前側に位置される一方溝端２ｊに第二被ガイド部８ｂは位置され、（図１）可動体２が所定回動位置に達したときはこの可動体側ガイド部２ｉの他方溝端２ｋ側に第二被ガイド部８ｂは位置されるようになっている。（図３）この可動体側ガイド部２ｉは、前記第一軸４からの距離を、一方溝端２ｊ側から他方溝端２ｋ側に向かうに連れて次第に大きくするように構成されている。これにより図示の例では、可動体２としてのリッド２ａが第一位置から所定回動位置に向けて往動回動されるにしたがってスライダ８がこの第一軸４から離れる向きに移動されるようになっている。
【００２６】
一方、本体側ガイド部１ｇの規制部１ｈは、第二軸５を中心とした放射方向に第一被ガイド部８ａを案内するように構成されている。また、本体側ガイド部１ｇの非規制部１ｉは第二軸５を中心とした仮想の円の円弧に沿って第一被ガイド部８ａを案内するように構成されている。図示の例では、第二軸５は、本体１の側面１ｂに形成された周回リブ１ｊの内側に位置されていると共に、本体１の側面１ｂであってこの周回リブ１ｊの上方には一対のガイド壁部３ｃ、３ｃが形成されている。このガイド壁部３ｃの下端と周回リブ１ｊとの間には隙間が形成されている。一対のガイド壁部３ｃ、３ｃ間の間隔は前記第一被ガイド部８ａを隙間少なく納める間隔となっている、そして、図示の例では、可動体２が第一位置から所定回動位置に往動回動されるときはこれに連動してスライダ８も第一軸４から離れる向きに移動されるが第一被ガイド部８ａは一対のガイド壁部３ｃ、３ｃ間に位置されるようになっている。これにより可動体２が第一位置と所定回動位置との間にあるときはアーム３は第二軸５とこの第一被ガイド部８ａとの二箇所において本体１に連係されることから、第二軸５を中心としたアーム３の回動は阻止される。可動体２が所定回動位置を超える位置まで往動回動されるとこれに連動してさらに第一軸４から離れる向きにスライダ８は移動され、一対のガイド壁部３ｃ、３ｃの下端間から第一被ガイド部８ａは抜けだす。（図３）これにより、第二軸５を中心としたアーム３の回動が許容され可動体２としてのリッド２ａは第二位置まで往動回動される。（図４）このとき前記可動体側ガイド部２ｉの他方溝端２ｋは第二軸５と同じ位置に位置され、第二被ガイド部８ｂも第二軸５と同じ位置に位置される。一対のガイド壁部３ｃ、３ｃのうちの後側に位置されるガイド壁部３ｃの下端には前記周回リブ１ｊに向き合うと共に前記第二軸５を中心とした仮想の円の円弧に沿った弧状壁部１ｍが連続している。すなわち、図示の例では、かかる一対のガイド壁部３ｃ、３ｃ間が前記本体側ガイド部１ｇの規制部１ｈとして機能し、かかる弧状壁部１ｍが前記本体側ガイド部１ｇの非規制部１ｉとして機能するようになっている。図示の例では、かかる一対のガイド壁部３ｃ、３ｃのうちの前側に位置されるガイド壁３ｃ部の下端は弧状壁部１ｍよりも下方に位置されており、リッド２ａが第二位置から復動回動されるときは所定回動位置に至る直前でこの前側に位置されるガイド壁３ｃ部の下端に第一被ガイド部８ａは後方から突き当たり、この後さらにリッド２ａが復動回動されると第一被ガイド部８ａは前記規制部１ｈとしての一対のガイド壁部３ｃ、３ｃ間に入り込むようになっている。
【００２７】
また、この実施の形態にあっては、前記第一付勢体６を、第一軸４に巻回されるように備えられると共に、バネ一端をリッド２ａ側に止め付け、かつ、バネ他端をアーム３側に止め付けたねじりコイルバネにより構成させている。また、第二付勢体７を、第二軸５に巻回されるように備えられると共に、バネ一端をアーム３側に止め付け、かつ、バネ他端を本体１側に止め付けたねじりコイルバネにより構成させている。
【００２８】
また、この実施の形態にあっては、前記のように可動体２としてのリッド２ａが第一位置にあるときスライダ８は第一軸４に最も近接されるようになっていると共に、第二軸５側に移動されたスライダ８に第一軸４側に向けた付勢力を作用させる付勢手段９が備えられている。図示の例では、かかる付勢手段９を、アーム３における第一軸４の近傍位置にバネ一端を止め付け、かつ、バネ他端をスライダ８の他面側に止め付けた引っ張りコイルバネにより構成させている。これにより、この実施の形態にあっては、前記第一付勢体６によりリッド２ａが所定回動位置まで往動回動されるときはこれに連動して移動されるスライダ８がこの付勢手段９の付勢に抗して移動されることとなるので、この所定回動位置までの往動回動にこの付勢手段９によっても制動力を作用させるようになっている。また、リッド２ａが所定回動位置を超えた後第二位置に至るまでの間では、この付勢手段９の付勢によりスライダ８は第一被ガイド部８ａを前記弧状壁部１ｍに摺接させながら第一軸４からもっとも離隔した位置に位置づけられる。
【００２９】
図８及び図９に示される例では、本体１にアーム３に対する係止手段１０を備えさせており、この係止手段１０により、第一位置と所定回動位置との間に可動体２があるときは第二軸５を中心としたアーム３の回動を規制し、所定回動位置を可動体２が超えたときアーム３の回動を許容するようにしている。
【００３０】
すなわち、この図８及び図９に示される例では、図１〜図７に示される例におけるスライダ８はなく、本体１に本体側ガイド部１ｇに代わる係止手段１０が備えられている。また、可動体２としてのリッド２ａの側板体２ｅの内面に前記所定回動位置においてこの係止手段１０によるアーム３の係止を解除する係止解除手段１１が備えられている。
【００３１】
図示の例では、かかる係止手段１０は、本体１の側面１ｂに形成された周回リブ１ｊのやや後方に備えられている。かかる係止手段１０は、本体１の側面１ｂの構成板体にコ字状の割溝を形成さることによりこの構成板体の一部を弾性片とすると共に、この弾性片の外面部に外側に突き出す係止凸部１０ａを形成させることで構成されている。そして、前記第一位置から所定回動位置に至るまでの間はアーム３の後方に向けられた縁部にこの弾性片の係止凸部１０ａが突き当たって第二軸５を中心としたアーム３の回動を阻止するようになっている。（図９）
【００３２】
一方、係止解除手段１１は、前記リッド２ａの側板体２ｅの内面から突き出す凸部１１ａとして形成されている。そして、この凸部１１ａは、前記所定回動位置まで第一軸４を中心に可動体２としてのリッド２ａが回動されたときに前記係止凸部１０ａに乗り上がる位置に備えられている。そしてこの乗り上がりにより、前記係止凸部１０ａとアーム３との係止を解く向きに前記弾性片は本体１の内方に撓み込まされせるようになっている。
【００３３】
これにより、この図８及び図９に示される例にあっても、第一位置からの所定回動位置までは、第一軸４を中心としてのみ可動体２が往動回動され、次いで、この所定回動位置を超えた後は可動体２とアーム３とが全体として第二軸５を中心に可動体２を第二位置に位置させるまで往動回動されるようになっている。
【符号の説明】
【００３４】
１  本体
１ｇ  本体側ガイド部
１ｈ  規制部
１ｉ  非規制部
２  可動体
２ｉ  可動体側ガイド部
３  アーム
４  第一軸
５  第二軸
８  スライダ
８ａ  第一被ガイド部
８ｂ  第二被ガイド部
【図１】
2010281068.tif 000003
【図２】
2010281068.tif 000004
【図３】
2010281068.tif 000005
【図４】
2010281068.tif 000006
【図５】
2010281068.tif 000007
【図６】
2010281068.tif 000008
【図７】
2010281068.tif 000009
【図８】
2010281068.tif 000010
【図９】
2010281068.tif 000011